(57)【特許請求の範囲】
【請求項１】
商品を陳列するための複数の商品棚を備えたショーケースにおいて、
商品棚毎にショーケース外部の所定範囲内の人体の有無を検知する人体検知手段を複数有し、人体検知手段の人体検出範囲をそれぞれ異なる範囲に設定することにより該人体と前記商品棚との距離を商品棚毎に検出する距離検出手段と、
各商品棚に設けられ該商品棚上の商品に付されたＲＦＩＤタグとの間で無線通信するためのアンテナと、
該アンテナを用いてＲＦＩＤタグの識別情報を検出する読取手段と、
距離検出手段によって検出された距離に応じて段階的に情報を出力するとともに、読取手段がＲＦＩＤタグの識別情報検出後に該ＲＦＩＤタグと通信不能になったときに該ＲＦＩＤタグが付された商品に関連付けられた情報を出力する情報出力手段とを備え、
前記読取手段は、距離検出手段によって検出された距離に基づきアンテナからの電波出力を商品棚毎に調整する
ことを特徴とするショーケース。
【発明の詳細な説明】
【技術分野】
【０００１】
本発明は、例えばスーパーマーケット等の店舗において商品を陳列するためのショーケースに関する。
【背景技術】
【０００２】
従来、この種のショーケースとして、動画を表示可能な表示手段と、音声を出力可能な音声発生手段と、周囲の人体動作を検出する人感センサとを備え、人感センサが利用者の接近を検出すると、表示手段及び音声発生手段を用いて動画と音声による情報出力を行うものが知られている（例えば特許文献１参照）。
【特許文献１】特開２００２−１６５６７８号公報
【発明の開示】
【発明が解決しようとする課題】
【０００３】
しかしながら、前記従来例では、人感センサが利用者の接近を検出したときに予め設定された単一の画像及び音声情報が出力されることから、例えば商品に関する画像情報や音声情報を段階的に出力することにより商品に対する利用者の興味を惹く等というような商品の販売促進を行うことができず、利用者の購買意欲を喚起することが困難であった。
【０００４】
本発明は、上記事情に鑑みてなされたものであり、その目的とするところは、利用者の購買意欲を喚起させることの可能なショーケースを提供することにある。
【課題を解決するための手段】
【０００５】
本発明は、前記目的を達成するために、商品を陳列するための複数の商品棚を備えたショーケースにおいて、商品棚毎にショーケース外部の所定範囲内の人体の有無を検知する人体検知手段を複数有し、人体検知手段の人体検出範囲をそれぞれ異なる範囲に設定することにより該人体と前記商品棚との距離を商品棚毎に検出する距離検出手段と、各商品棚に設けられ該商品棚上の商品に付されたＲＦＩＤタグとの間で無線通信するためのアンテナと、該アンテナを用いてＲＦＩＤタグの識別情報を検出する読取手段と、距離検出手段によって検出された距離に応じて段階的に情報を出力するとともに、読取手段がＲＦＩＤタグの識別情報検出後に該ＲＦＩＤタグと通信不能になったときに該ＲＦＩＤタグが付された商品に関連付けられた情報を出力する情報出力手段とを備え、前記読取手段は、距離検出手段によって検出された距離に基づきアンテナからの電波出力を商品棚毎に調整する。
【０００６】
これにより、商品棚からの距離に応じた情報が出力されることから、商品棚と利用者との間の距離に基づき商品概要等の情報を段階的に出力することが可能となる。また、商品棚と利用者との距離に基づいた電波出力の調整が可能となる。
【発明の効果】
【０００７】
以上説明したように本発明によれば、例えば商品概要等の情報を商品棚と利用者との間の距離に基づき段階的に出力することができるので、商品に対する利用者の興味を惹きつけることができ、利用者の購買意欲を喚起させることができる。また、商品棚と利用者との距離に基づいた電波出力の調整が可能となるので、電波消費量を最適化することができる。
【発明を実施するための最良の形態】
【０００８】
図１乃至図６は本発明の一実施形態を示すもので、図１はショーケースの斜視図、図２はショーケースの要部側面図、図３はショーケースの機能ブロック図、図４は照明制御情報の一例を示す図、図５は出力情報の一例を示す図、図６は情報出力処理におけるショーケースの動作を説明するフロー図である。
【０００９】
まず、図１及び図２を参照してショーケース１００の構造について説明する。ショーケース１００は、商品１０を陳列するための複数段の商品棚１０１と、商品１０を冷却するための冷却機構とを備えている。冷却機構については従来周知のものと同様なのでここでは説明を省略する。各商品棚１０１の上面側には、陳列されている商品１０に付されたＲＦＩＤタグ１１との間で無線通信するためのループ状の棚アンテナ１３４が設けられており、所定の商品棚１０１（図１では上から２段目の商品棚１０１）上には、商品１０に関する情報、広告動画及び音声情報を表示する表示装置１４０が設けられている。
【００１０】
また、各商品棚１０１の上方には、蛍光灯１０２と、第１人感センサ１２３ａと、第２人感センサ１２３ｂと、第３人感センサ１２３ｃとが、図２に示すように設けられている。各人感センサ１２３ａ〜１２３ｃは、人体を検知可能な範囲がそれぞれ異なるように構成されている。本実施形態では、第１人感センサ１２３ａ、第２人感センサ１２３ｂ、第３人感センサ１２３ｃの検知可能な範囲を、それぞれ２メートル、５０センチメートル、２０センチメートルに設定している。これにより、所定範囲内（２メートル以内）の人体の有無を検知して、該人体と商品棚１０１との距離を複数段階（本実施形態では３段階）で検出することが可能となる。
【００１１】
さらに、各商品棚１０１の前端には、複数の発光ダイオード（ＬＥＤ）１０３が各商品棚１０１の前端側を覆うように設けられている。なお、各ＬＥＤ１０３を用いてプライスカードレールを構成してもよい。
【００１２】
また、商品１０に付されたＲＦＩＤタグ１１には、ＲＦＩＤタグ１１を識別するための固有番号が埋め込まれており、ＲＦＩＤタグ１１は、棚アンテナ１３４から放射された電波によって起動すると、固有番号を棚アンテナ１３４に送信する。
【００１３】
図３にショーケース１００の機能ブロック図を示す。なお、図３は説明の簡略化のため情報表示処理に関するもののみを記載し、冷却機構など他の構成要素は省略した。このショーケース１００は、図３に示すように、ショーケース１００の全体を制御するための制御装置１１０と、所定範囲内（ショーケース１００から２メートル以内）の人体の有無を検知して該人体と各商品棚１０１との距離を検出する距離検出装置１２０と、各商品棚１０１上の商品１０に付されたＲＦＩＤタグ１１と通信を行い該ＲＦＩＤタグ１１の固有番号を検出する読取装置１３０と、前述の表示装置１４０とを備えている。
【００１４】
制御装置１１０は、距離検出装置１２０、読取装置１３０及び表示装置１４０に通信するための通信インタフェイス１１１と、ショーケース制御部１１２とを備えている。
【００１５】
ショーケース制御部１１２は、ＣＰＵ、ＲＡＭ、ＲＯＭ等を備えたコンピュータからなり、ショーケース制御部１１２に接続された蛍光灯１０２及び各ＬＥＤ１０３の点灯状態を制御する。また、ショーケース制御部１１２に接続された記憶装置（図示省略）には、図４に示すように蛍光灯１０２及び各ＬＥＤ１０３の点灯状態を表す情報が、複数のイベントＩＤ毎に記憶されている。
【００１６】
距離検出装置１２０は、制御装置１１０、読取装置１３０及び表示装置１４０に通信するための通信インタフェイス１２１と、センサ制御部１２２と、各商品棚１０１毎に設けられた複数のセンサ部１２３とを備えている。各センサ部１２３は、前述の第１人感センサ１２３ａ、第２人感センサ１２３ｂ及び第３人感センサ１２３ｃから構成されており、各人感センサ１２３ａ〜１２３ｃは、それぞれ検知可能な範囲内において人体を検知すると、所定の検出信号をセンサ制御部１２２に送信する。なお、本実施形態では、第１人感センサ１２３ａ、第２人感センサ１２３ｂ、第３人感センサ１２３ｃが人体を検知すると、それぞれ第１検出信号、第２検出信号、第３検出信号をセンサ制御部１２２に送信する。
【００１７】
センサ制御部１２２は、ＣＰＵ、ＲＡＭ、ＲＯＭ等を備えたコンピュータからなり、センサ部１２３から検出信号を受信すると、送信元のセンサ部１２３が設置されている商品棚１０１を識別する棚番号を検出信号に含むとともに、通信インタフェイス１２１を介して該検出信号を各装置１１０，１３０，１４０に送信する。
【００１８】
読取装置１３０は、制御装置１１０、距離検出装置１２０及び表示装置１４０に通信するための通信インタフェイス１３１と、読取装置１３０全体を制御するための読取制御部１３２と、各商品棚１０１毎に設けられた複数の通信制御部１３３及び複数の棚アンテナ１３４とを備えている。
【００１９】
読取制御部１３２は、ＣＰＵ、ＲＡＭ、ＲＯＭ等を備えたコンピュータからなり、インピーダンス調整用の制御信号及び固有番号取得信号を生成して各通信制御部１３３に送信することにより、各商品棚１０１に陳列された商品１０のＲＦＩＤタグ１１の固有番号を順次取得する。読取制御部１３２は、各通信制御部１３３からＲＦＩＤタグ１１の固有番号を受信すると、送信元の通信制御部１３３が設置されている商品棚１０１の棚番号と該固有番号からなる在庫リストを生成し、読取制御部１３２に接続された記憶装置（図示省略）に記憶する。
【００２０】
ここで、ＲＦＩＤタグ１１の固有番号が検出された後に該ＲＦＩＤタグ１１と通信不能になったときの読取制御部１３２の動作について説明する。商品棚１０１に陳列されている商品１０が取り出されることにより、該商品１０に付されたＲＦＩＤタグ１１が棚アンテナ１３４と通信可能な範囲外に移動すると、該棚アンテナ１３４と該ＲＦＩＤタグ１１との間の通信が不能になることから、読取制御部１３２は、該ＲＦＩＤタグ１１の固有番号を取得することができない。この場合、読取制御部１３２は、商品リストに既に記憶されている固有番号のうち再度取得されなくなった固有番号を、商品棚１０１から取り出された商品１０に対応するＲＦＩＤタグ１１の固有番号として検出する。そして、読取制御部１３２は、検出した固有番号を含むタグ消失信号を、通信インタフェイス１３１を介して制御装置１１０及び表示装置１４０に送信する。
【００２１】
各通信制御部１３３は、ＲＦ回路部１３３ａと整合回路１３３ｂから構成されている。ＲＦ回路部１３３ａは、周知の混合器等から構成されており、読取制御部１３２から受信した固有番号取得信号にインピーダンス調整用の制御信号を重畳させたものを整合回路１３３ｂに送信する。また、ＲＦ回路部１３３ａは、棚アンテナ１３４及び整合回路１３３ｂを介してＲＦＩＤタグ１１から取得した固有番号を読取制御部１３２に送信する。
【００２２】
整合回路１３３ｂは、所定のインピーダンス素子とトランジスタやリレースイッチ等のスイッチ素子との直列回路を１つ又は複数設けたものからなり、読取制御部１３２から送信されたインピーダンス調整用の制御信号に基づきスイッチ素子のオン・オフを切替えることにより定数を切替えることができるようになっている。即ち、読取制御部１３２の制御によって整合回路１３３ｂの定数を切替えることにより、棚アンテナ１３４からの電波出力を調整することが可能になる。そして、整合回路１３３ｂから出力された信号は、棚アンテナ１３４を介して外部に放射される。なお、インピーダンス調整方法については出願人が提案した特願２００７−７８８７４号記載の技術を用いることも可能である。
【００２３】
表示装置１４０は、制御装置１１０、距離検出装置１２０及び読取装置１３０に通信するための通信インタフェイス１４１と、表示装置１４０全体を制御するための表示制御部１４２と、記憶部１４３と、表示部１４４と、音声出力部１４５と、通信制御部１４６と、アンテナ１４７とを備えている。
【００２４】
表示制御部１４２は、ＣＰＵ、ＲＡＭ、ＲＯＭ等を備えたコンピュータからなり、距離検出装置１２０及び読取装置１３０から送信された信号に基づき各装置１４３〜１４７を制御するようになっている。また、表示制御部１４２は、通信制御部１４６及びアンテナ１４７を介して前述の固有番号取得信号を常時送信する。
【００２５】
記憶部１４３には、ＲＦＩＤタグ１１の固有番号に対応付けられた商品１０の情報（例えばカロリーや原材料等）、広告動画、店舗のイメージキャラクタの動画や音声情報等が記憶されている。これらの情報は、図５に示すように、複数のイベントＩＤ毎に対応付けられた状態で記憶されている。
【００２６】
表示部１４４は周知の液晶ディスプレイであり、表示制御部１４２の制御により動画及び文字情報を表示する。音声出力部１４５は周知のスピーカであり、表示制御部１４２の制御により音声情報を出力する。通信制御部１４６及びアンテナ１４７は、前述した読取装置１３０の通信制御部１３３及び棚アンテナ１３４と同様に構成されている。
【００２７】
以上のように構成されたショーケース１００では、利用者の商品購入動作に応じて情報表示処理を行う。具体的に説明すると、商品棚１０１から２メートル以内に利用者が存在しないときには第１のイベント（イベントＩＤ＝“００１”）に応じた情報表示処理を行い、利用者が商品棚１０１から２メートル以内に接近すると第２のイベント（イベントＩＤ＝“００２”）に応じた情報表示処理を行う。
【００２８】
また、利用者が更に商品棚１０１に接近（例えば商品棚から５０センチメートル以内）すると第３のイベント（イベントＩＤ＝“００３”）に応じた情報表示処理を行い、利用者が商品棚１０１上の商品１０を取り出すために手を延ばしたとき（利用者が商品棚１０１から２０センチメートル以内に接近したとき）に第４のイベント（イベントＩＤ＝“００４”）に応じた情報表示処理を行う。
【００２９】
さらに、利用者が商品１０を手に取ったときに第５のイベント（イベントＩＤ＝“００５”）に応じた情報表示処理を行い、利用者が商品１０を表示装置１４０にかざすと第６のイベント（イベントＩＤ＝“００６”）に応じた情報表示処理を行う。
【００３０】
なお、複数のイベントが同時に発生する場合には、ショーケース１００は、各イベントのうち最大値のイベントＩＤに対応した情報表示処理を行う。
【００３１】
以下に、利用者の商品購入動作に応じて情報表示処理を行う場合におけるショーケース１００の動作を図６を参照して説明する。
【００３２】
まず、表示装置１４０の表示制御部１４２は、商品１０が表示装置１４０にかざされたか否かを判別する（ステップＳ１）。具体的に説明すると、表示制御部１４２は、通信制御部１４６及びアンテナ１４７を介して固有番号取得信号を外部に常時送信する。ここで、利用者が、商品棚１０１から商品１０を取り出した後に該商品１０を表示装置１４０のアンテナ１４７にかざすと、表示制御部１４２は、該商品１０に付されたＲＦＩＤタグ１１の固有番号を、アンテナ１４７及び通信制御部１４６を介して取得することによりＲＦＩＤタグ１１を検出する。そして、表示制御部１４２は、ＲＦＩＤタグ１１を検出すると、取得した固有番号を含むタグ検出信号を制御装置１１０に送信する（ステップＳ２）。
【００３３】
次に、表示制御部１４２及びショーケース制御部１１２は、商品１０が表示装置１４０にかざされたことから、第６のイベント（イベントＩＤ＝“００６”）の内容に応じた情報表示処理を行う（ステップＳ３）。まず、表示制御部１４２の動作について説明すると、表示制御部１４２は、ステップＳ１で取得した固有番号に対応する商品１０の詳細情報（例えばカロリーや原材料等）を記憶部１４３から抽出して表示部１４４に表示させるとともに、「××も今日のおすすめです」等のように他の商品の購入を勧める音声情報を記憶部１４３から抽出して音声出力部１４５に出力させる。また、ショーケース制御部１１２は、タグ検出信号を表示装置１４０から受信すると、各商品棚１０１に設けられた蛍光灯１０２を点灯させるとともに、各ＬＥＤ１０３がフェードインとフェードアウトを繰り返しながら点灯するように各ＬＥＤ１０３を制御する。
【００３４】
次に、利用者が商品１０を表示装置１４０にかざしていない状態で商品棚１０１から商品１０が取り出されると（ステップＳ４）、読取装置１３０の読取制御部１３２は、取り出された商品１０に付されたＲＦＩＤタグ１１の固有番号を含むタグ消失信号を制御装置１１０及び表示装置１４０に送信する（ステップＳ５）。
【００３５】
一方、表示制御部１４２及びショーケース制御部１１２は、読取装置１３０からタグ消失信号を受信することにより、商品棚１０１から商品１０が取り出されたと判別し、第５のイベント（イベントＩＤ＝“００５”）の内容に応じた情報表示処理を行う（ステップＳ６）。表示制御部１４２は、タグ消失信号に含まれる固有番号に対応する商品１０の概要情報（例えば商品価格やキャンペーン情報等）を記憶部１４３から抽出して表示部１４４に所定時間（例えば５秒）表示させるとともに、「商品を表示装置にかざすと詳細情報を見ることができます」等のように詳細情報を表示するための操作内容を表す音声情報を記憶部１４３から抽出して音声出力部１４５に出力させる。また、ショーケース制御部１１２は、各商品棚１０１に設けられた蛍光灯１０２を点灯させるとともに、各商品棚１０１の右側から左側に向かって各ＬＥＤ１０３が流れて点灯するように点灯状態を制御する。
【００３６】
このようにして、商品１０が商品棚１０１から取り出されたとき、即ち読取装置１３０がＲＦＩＤタグ１１の固有番号検出後に該ＲＦＩＤタグ１１と通信不能になったときに、該ＲＦＩＤタグ１１が付された商品１０に関連付けられた情報が出力されることから、利用者の購入動作に応じてより詳細な情報表示処理を行うことが可能になる。
【００３７】
次に、商品棚１０１から商品１０が取り出されていない状態で利用者が商品棚１０１に手を伸ばすと（ステップＳ７）、第３人感センサ１２３ｃは、人体を検知して第３検出信号をセンサ制御部１２２に送信する。また、センサ制御部１２２は、第３人感センサ１２３ｃから受信した第３検出信号を制御装置１１０、読取装置１３０及び表示装置１４０に送信する（ステップＳ８）。
【００３８】
一方、表示制御部１４２及びショーケース制御部１１２は、距離検出装置１３０から第３検出信号を受信することにより、利用者が商品棚１０１に手を伸ばしたと判別し、第４のイベント（イベントＩＤ＝“００４”）の内容に応じた情報表示処理を行う（ステップＳ９）。表示制御部１４２は、店舗のイメージキャラクタの動画を記憶部１４３から抽出して表示部１４４に所定時間（例えば５秒）表示させるとともに、「商品をお取りください」等の音声情報を記憶部１４３から抽出して音声出力部１４５に出力させる。また、ショーケース制御部１１２は、各商品棚１０１に設けられた蛍光灯１０２を点灯させるとともに、各商品棚１０１の各ＬＥＤ１０３を点灯させる。
【００３９】
また、読取制御部１３２は、距離検出装置１２０から第３検出信号を受信すると、第３検出信号に含まれる棚番号に対応付けられた商品棚１０１の棚アンテナ１３４からの電波出力を調整する（ステップＳ１０）。このとき、読取制御部１３２は、ＲＦＩＤタグ１１と棚アンテナ１３４の間の通信距離が延びるようにインピーダンス調整用の制御信号を生成して、該制御信号を該棚番号に対応する商品棚１０１の通信制御部１３３に送信することにより、棚アンテナ１３４からの電波出力を調整する。
【００４０】
次いで、利用者が商品棚１０１に手を伸ばしていない状態で利用者が商品棚１０１から５０センチメートル以内に接近すると（ステップＳ１１）、第２人感センサ１２３ｂは、人体を検知して第２検出信号をセンサ制御部１２２に送信する。また、センサ制御部１２２は、第２人感センサ１２３ｂから受信した第２検出信号を制御装置１１０及び表示装置１４０に送信する（ステップＳ１２）。
【００４１】
一方、表示制御部１４２及びショーケース制御部１１２は、距離検出装置１２０から第２検出信号を受信することにより、利用者が商品棚１０１から５０センチメートル以内に接近したと判別し、第３のイベント（イベントＩＤ＝“００３”）の内容に応じた情報表示処理を行う（ステップＳ１３）。表示制御部１４２は、予め設定されたおすすめ商品の画像を記憶部１４３から抽出して表示部１４４に所定時間（例えば５秒）表示させるとともに、「今日のおすすめ商品は○○です」等の音声情報を記憶部１４３から抽出して音声出力部１４５に出力させる。また、ショーケース制御部１１２は、各商品棚１０１に設けられた蛍光灯１０２を点灯させるとともに、各商品棚１０１の各ＬＥＤ１０３を０．５秒間隔で点滅させる。
【００４２】
次に、利用者が商品棚１０１から５１センチメートル以上２メートル以下の距離まで接近すると（ステップＳ１４）、第１人感センサ１２３ａは、人体を検知して第１検出信号をセンサ制御部１２２に送信する。また、センサ制御部１２２は、第１人感センサ１２３ａから受信した第１検出信号を制御装置１１０及び表示装置１４０に送信する（ステップＳ１５）。
【００４３】
一方、表示制御部１４２及びショーケース制御部１１２は、距離検出装置１２０から第１検出信号を受信することにより、利用者が商品棚１０１から５１センチメートル以上２メートル以下の距離まで接近したと判別し、第２のイベント（イベントＩＤ＝“００２”）の内容に応じた情報表示処理を行う（ステップＳ１６）。表示制御部１４２は、店舗のイメージキャラクタの静止画を記憶部１４３から抽出して表示部１４４に所定時間（例えば５秒）表示させるとともに、「いらっしゃいませ」等の音声情報を記憶部１４３から抽出して音声出力部１４５に出力させる。また、ショーケース制御部１１２は、各商品棚１０１に設けられた蛍光灯１０２を点灯させるとともに、各商品棚１０１の各ＬＥＤ１０３を１秒間隔で点滅させる。
【００４４】
なお、距離検出装置１２０から第１〜第３の検出信号が何れも送信されない場合には、表示制御部１４２及びショーケース制御部１１２は、商品棚１０１から２メートル以内に利用者が存在しないと判別し、第１のイベント（イベントＩＤ＝“００１”）の内容に応じた情報表示処理を行う（ステップＳ１７）。表示制御部１４２は、広告動画を記憶部１４３から抽出して表示部１４４に表示させる。また、ショーケース制御部１１２は、各商品棚１０１に設けられた蛍光灯１０２及び各ＬＥＤ１０３を消灯させる。
【００４５】
また、読取制御部１３２は、距離検出装置１２０から第１〜第３の検出信号が何れも送信されない場合に、各商品棚１０１の棚アンテナ１３４からの電波出力を調整する（ステップＳ１０）。このとき、読取制御部１３２は、各棚アンテナ１３４と、該棚アンテナ１３４が設けられた商品棚１０１上の全商品１０のＲＦＩＤタグ１１との通信に用いられる電力量が、各ＲＦＩＤタグ１１と通信できる最低限の電力量となるように、棚アンテナ１３４からの電波出力を調整する。
【００４６】
このように本実施の形態に係るショーケース１００によれば、所定範囲内の人体の有無を検知して該人体と商品棚１０１との距離を検出する距離検出装置１２０と、距離検出装置１２０によって検出された距離に応じた情報を出力する表示装置１４０とを備えたので、例えば商品概要等の情報を商品棚１０１と利用者との間の距離に基づき段階的に出力することができる。従って、商品１０に対する利用者の興味を惹きつけることができ、利用者の購買意欲を喚起させることができる。
【００４７】
また、商品棚１０１上の商品１０に付されたＲＦＩＤタグ１１と通信を行い該ＲＦＩＤタグ１１の固有番号を検出する読取装置１３０を備え、表示装置１４０は、読取装置１３０がＲＦＩＤタグ１１の固有番号検出後に該ＲＦＩＤタグ１１と通信不能になったときに、該ＲＦＩＤタグ１１が付された商品１０に関連付けられた情報を出力するので、利用者の購入動作に応じてより詳細な情報表示処理を行うことができ、利用者の購買意欲を更に喚起させることができる。
【００４８】
さらに、ＲＦＩＤタグ１１との間で無線通信するための棚アンテナ１３４を商品棚１０１に設け、距離検出装置１２０は、所定範囲内の人体と商品棚１０１との距離を商品棚１０１毎に検出し、読取装置１３０は、距離検出装置１２０によって検出された距離に基づき棚アンテナ１３４からの電波出力を商品棚１０１毎に調整するので、例えば所定範囲内に利用者が存在しない場合には棚アンテナ１３４からの電波出力を低減させることができ、電力消費量を最適化することができる。
【００４９】
なお、上記実施形態は本発明の具体例に過ぎず、本発明が上記実施形態のみに限定されることはない。例えば、上記実施形態において説明した情報表示処理の優先順序を適宜変更することが可能である。
【図面の簡単な説明】
【００５０】
【図１】本発明の一実施形態を示すショーケースの斜視図
【図２】ショーケースの要部側面図
【図３】ショーケースの機能ブロック図
【図４】照明制御情報の一例を示す図
【図５】出力情報の一例を示す図
【図６】情報出力処理におけるショーケースの動作を説明するフロー図
【符号の説明】
【００５１】
１０…商品、１１…ＲＦＩＤタグ、１００…ショーケース、１０１…商品棚、１２０…距離検出装置、１２３ａ…第１人感センサ、１２３ｂ…第２人感センサ、１２３ｃ…第３人感センサ、１３０…読取装置、１３４…棚アンテナ、１４０…表示装置
【図１】
0005474308.tif 000002
【図２】
0005474308.tif 000003
【図３】
0005474308.tif 000004
【図４】
0005474308.tif 000005
【図５】
0005474308.tif 000006
【図６】
0005474308.tif 000007